(57)【特許請求の範囲】
【請求項１】
正面に開口する正面開口部を有する四角箱状の筐体と、
前記筐体の前記正面開口部の上部を開閉自在に塞ぐ上扉と、
前記筐体の前記正面開口部の下部を開閉自在に塞ぐ下扉と、
前記上扉を、前記筐体にロックするための開閉鍵と、
上方に移動することで前記開閉鍵をロック状態、下方に移動することで前記開閉鍵をロック解除状態にして、常に上方に付勢されているスライド片と、
前記スライド片の下部に位置して、前記スライド片を下方に引き下げるために押し下げ可能な操作部とを備えた遊技機において、
前記上扉の下面には、正面側から前記操作部を下方に向かって引き下げるために下方に向かって開口する引下用開口孔が形成され、
前記ロック状態では、前記操作部の上端が、前記引下用開口孔より上方に位置すると共に、前記ロック解除状態では、下方に引き下げられた前記操作部の上端が前記引下用開口孔より下方に移動するように形成され、
前記引下用開口孔の手前側の前記開口縁の下方には、前記操作部が下方に最大限移動したときにも前記操作部の手前側の面が接することができる手前側案内面を有する当接部材を設けたことを特徴とする遊技機。
【請求項２】
前記開口孔の前記開口縁の下方には、前方を除いた３方向に、前記操作部が下方に最大限移動したときにも前記操作部の奥及び左右方向の面が接することができる案内面を設けたことを特徴とする請求項１記載の遊技機。
【発明の詳細な説明】
【技術分野】
【０００１】
この発明は、ドアの開閉作業の作業性が良好な遊技機に関する。
【背景技術】
【０００２】
従来より、スロットマシン等の遊技機において、正面に開口する正面開口部を有する四角箱状の筐体と、筐体の正面開口部の上部を開閉自在に塞ぐ上扉と、筐体の正面開口部の下部を開閉自在に塞ぐ下扉と、上扉を、筐体にロックするための開閉鍵810と、上方に移動することで開閉鍵をロック状態にし、下方に移動することで前記開閉鍵をロック解除状態にして、常に上方に付勢されている金属からなるスライド片820と、スライド片820の下部に位置して、スライド片820を下方に引き下げるために押し下げ可能な操作部830とを備えたものがある（例えば、特許文献１、２）。
前記操作部730は、スライド片720の下端に位置して遊技機1の中央側に向かってＬ字状に折り曲げられたＬ字状操作部722と、このＬ字状操作部722のＬ字状の先端部分に固定された樹脂からなる箱状操作部734とから形成されている。
【０００３】
図１６〜図１７は従来の遊技機であって、図１６は、（ａ）は、開閉鍵810のロック状態であって操作部830の手前側上端部831が操作用開口孔840の上方に位置する正面図、（ｂ）は開閉鍵810のロック解除状態であって操作部830の手前側上端部831が操作用開口孔840の下方に位置する正面図、図１７は開閉鍵810の非ロック状態の操作部830及び開閉鍵810の背面図、図１８は、（ａ）は、開閉鍵810のロック状態であって操作部830の手前側上端部831が操作用開口孔840の上方に位置する外観斜視図、（ｂ）は開閉鍵810のロック解除状態であって操作部830の手前側上端部831が操作用開口孔840の下方に位置する外観斜視図である。
【０００４】
そして、上扉の下面には、正面側から操作部830を下方に向かって引き下げるために下方に向かって四角状に開口する引下用開口孔840が形成されている。前記箱状操作部734は、全体形状が立方体状であって中央には、前面側に向かって開口して指を内部に挿入可能な指挿入部832が形成されている。
そして、ロック状態では、図１６（ａ）及び図１８（ａ）に示すように、箱状操作部734の上端である手前側上端部831が、引下用開口孔840より上方に位置するように形成されている。これは、付勢手段により、スライド片820が常に上方に引き上げられていることによる。そして、開閉鍵810をロック状態からロック解除状態にするために、遊技者は、指挿入部832に指を入れて下方に箱状操作部734を押し下げることにより、スライド片820が付勢手段に抗して下方に移動し、ロック状態が解除されるように形成されているものである。その際、ロック解除状態では、図１６（ｂ）及び図１８（ｂ）に示すように、下方に引き下げられた操作部830の上端の手前側上端部831が引下用開口孔840より下方に移動するように形成されている。
【先行技術文献】
【特許文献】
【０００５】
【特許文献１】特開２００７−６１２３８号公報
【特許文献２】特開２００７−１１７１３２号公報
【発明の概要】
【発明が解決しようとする課題】
【０００６】
しかし、上記した従来の遊技機においては、操作部830を下方に押し下げる際、操作部830の手前側上端部831が、引下用開口孔840の手前側開口縁841の近くを通過することになる。その際、操作部830の手前側上端部831が、引下用開口孔840の手前側開口縁841に引っかかる場合がある。操作部830の形状や、スライド片820の移動の際のブレや、ねじれ回転運動等により、そのような不具合が発生するものである。そのような引っかかりが発生すると、開閉鍵810のロック解除作業に支障をきたすことになる。
本発明は、上記した従来の技術の有する問題点に鑑みてなされたものであり、その目的とするところは、操作部830の手前側上端部831が、引下用開口孔840の手前側開口縁841に引っかかることを防止して、開閉鍵810のスムーズなロック解除作業を行うことができるようにした遊技機を提供しようとするものである。
【課題を解決するための手段】
【０００７】
（請求項１）
請求項１記載の発明に係る遊技機(1)は、正面に開口する正面開口部を有する四角箱状の筐体(2)と、前記筐体(2)の前記正面開口部の上部を開閉自在に塞ぐ上扉(4)と、前記筐体(2)の前記正面開口部の下部を開閉自在に塞ぐ下扉(5)と、前記上扉(4)を、前記筐体(2)にロックするための開閉鍵(810)と、上方に移動することで前記開閉鍵(810)をロック状態、下方に移動することで前記開閉鍵(810)をロック解除状態にして、常に上方に付勢されているスライド片(720)と、前記スライド片(720)の下部に位置して、前記スライド片(720)を下方に引き下げるために押し下げ可能な操作部(830)とを備えている。
【０００８】
そして、前記上扉(4)の下面には、正面側から前記操作部(830)を下方に向かって引き下げるために下方に向かって開口する引下用開口孔(840)が形成されている。
そして、前記ロック状態では、前記操作部(830)の上端が、前記引下用開口孔(840)より上方に位置すると共に、前記ロック解除状態では、下方に引き下げられた前記操作部(830)の上端が前記引下用開口孔(840)より下方に移動するように形成されている。
そして、前記引下用開口孔(840)の手前側の前記開口縁の下方には、前記操作部(830)が下方に最大限移動したときにも前記操作部(830)の手前側の面が接することができる手前側案内面(743)を有する当接部材(750)を設けたことを特徴とする。
【０００９】
（請求項２）
請求項２記載の発明は、上記した請求項１記載の発明の特徴点に加え、次の点を特徴とする。すなわち、前記開口孔の前記開口縁の下方には、前方を除いた３方向に、前記操作部(830)が下方に最大限移動したときにも前記操作部(830)の奥及び左右方向の面が接することができる案内面(741)を設けたことを特徴とする。
【発明の効果】
【００１０】
本発明は、以上のように構成されているので、以下に記載されるような効果を奏する。
（請求項１）
請求項１記載の発明によれば、開閉鍵(810)をロック解除状態にするために、操作部(830)を下方に引き下げても、引下用開口孔(840)の手前側の開口縁の下方には、操作部(830)が下方に最大限移動しても操作部(830)の手前側の面が接することができる手前側案内面(743)が形成されている。このため、操作部(830)の上端等が、引下用開口孔(840)の開口縁に引っかかることを防止することができる。
（請求項２）
請求項２記載の発明によれば、請求項１に記載の発明の効果に加えて、前方を除いた３方向に、案内面(741)を設けたことで、その３方向において、操作部(830)の上端が、引下用開口孔(840)の縁に引っかかることを回避することができる。
【図面の簡単な説明】
【００１２】
【図１】本発明の実施の形態であって、遊技機としてのスロットマシンの外観斜視図である。
【図２】前扉を開いた遊技機の斜視図である。
【図３】上扉の分解斜視図である。
【図４】上扉枠の分解斜視図である。
【図５】装飾枠の分解斜視図である。
【図６】拡散ランプユニットの縦断面図である。
【図７】拡散ランプユニットを示す部分斜視図及び部分拡大断面図である。
【図８】凹面反射鏡の他の例を示す図である。
【図９】コーナーランプユニットの分解斜視図である。
【図１０】液晶ユニットの斜視図である。
【図１１】液晶ユニットの分解斜視図である。
【図１２】本発明の実施の形態であって、スライド片の外観斜視図である。
【図１３】本発明の実施の形態であって、（ａ）操作部の操作する前の状態、（ｂ）操作片を下方に引き下げた状態の外観正面図である。
【図１４】本発明の実施の形態であって、スライド片及び操作部付近の外観裏面図である。
【図１５】本発明の実施の形態であって、（ａ）操作部の操作する前の状態、（ｂ）操作片を下方に引き下げた状態の外観斜視図である。
【図１６】従来の実施の形態であって、（ａ）操作部の操作する前の状態、（ｂ）操作片を下方に引き下げた状態の外観正面図である。
【図１７】従来の実施の形態であって、スライド片及び操作部付近の外観裏面図である。
【図１８】従来の実施の形態であって、（ａ）操作部の操作する前の状態、（ｂ）操作片を下方に引き下げた状態の外観斜視図である。
【発明を実施するための形態】
【００１３】
本発明を実施するための最良の形態を、遊技機としてスロットマシンを例に、図面に基づき説明する。
本実施の形態における遊技機1は、図１及び図２に示すように、大きく分けて、正面側に開口部を有する筐体2、筐体2の開口部を開閉可能に塞ぐ前扉3とから構成されている。そして、この前扉3は、筐体2の開口上部を開閉可能に塞ぐ上扉4、筐体2の開口下部を開閉可能に塞ぐ下扉5とに分割されている。
なお、本明細書において、「前面」や「前」や「手前」とは、遊技者が、遊技機1の正面側の前に遊技機1の方に顔を向けているような場合のこの遊技者から見た場合の奥から手前への方向を意味する。同様に「背面」や「後方向」や「奥方向」とは、遊技者が、遊技機1の正面側に遊技機1の方を向いているような場合のこの遊技者から見たときの手前から奥への方向を意味する。同様に「左方向」や「右方向」等の左右方向も、特に説明をしていない場合には、この遊技機1の前面の方を向いて位置している遊技者から見た場合の方向を意味する。
【００１４】
（筐体2）
筐体2は、図２に示すように、前面（遊技者と対峙する正面）側に開口する箱体である。そして、筐体2の開口上部の内部には、３個の回転リール10を備えたリールユニット200と、メイン基板ユニット20が収納されており、開口下部の内部には、電源ユニットとホッパーユニット15が設置されている。
ここで、リールユニット200は、筐体2に着脱自在に形成されており、メイン基板ユニット20はリールユニット200の枠体に固定されている。メイン基板ユニット20は、ＣＰＵ、ＲＯＭなど種々の電子部品を装着したメイン基板を、基板ケースに収納したものであり、遊技機1の作動を制御するための主制御手段として機能する。ホッパーユニット15はメダルを貯留するとともに入賞時等にはメダルを払い出す払い出し装置である。
【００１５】
（前扉3）
前扉3のうち、上扉4は、筐体2の側板にヒンジを介して回転自在に軸支された板状の扉であり、図１に示すように、略中央部に回転リール23を正面側から見ることができる図柄表示窓8Aを有し、図柄表示窓8Aの上方には、演出表示を行うための装飾枠7が設けられている。なお、上扉4の詳細な構成については後述する。
上扉4を閉じると、筐体2のヒンジの反対側に設けられたラッチ錠（開閉鍵710）により自動的にロックされ、筐体2の開口上部が閉塞される。また、下扉5を解放した状態で、下扉5の裏側（内部側）下部に設けられた操作部730を下方に引き下げることにより、上扉4のロックが解除されるようになっている。
【００１６】
前扉3のうち、下扉5は、筐体2の側板にヒンジを介して回転自在に軸支された上扉4よりも幅厚の扉であり、図１に示すように、下扉5の上部は、遊技機1を作動させるためのカウンター状の操作領域部となっている。また、下扉5の下部には、ホッパーユニット15から払い出されたメダルを貯めておくことができる払い出し皿13が形成されており、払い出し皿13の奥側の壁には、下部スピーカ110が設けられている。
前記操作領域部には、遊技メダルを投入するためのメダル投入口14、回転リール10の回転を開始及び停止させるためのスタートスイッチ11及びストップスイッチ12などが設けられている。さらに、図２に示すように、下扉5の裏面側には、前記メダル投入口14から投入されたメダルを誘導しながらメダルの正偽を判断するためのメダルセレクター16が設けられている。メダルセレクター16を通過したメダルは、ホッパーユニット15に転送され、メダルセレクター16によりキャンセルされたメダルは、図１に示す払い出し皿13に排出される。そして、下扉5を閉めると、ラッチ錠により自動的にロックされ、筐体2の開口下部が閉塞されるものである。また、下扉5は、鍵穴に所定の鍵を差し込んで回すことによりロックが解除され、下扉5を解放することにより、上扉4のロックを解除することができるようになっている。
【００１７】
なお遊技機1は、メイン基板により行われる当選判定の抽選結果が所定の当選役に当選し、前記ストップスイッチ12の操作により当選図柄が入賞の態様となるように回転リール10を停止させることができると入賞となり、ホッパーユニット15からメダルが払い出されたり、ボーナスゲームなどの有利な遊技が開始されるようになっている。
（上扉4）
次に、上扉4の構造について詳述する。
上扉4は、図３に示すように、装飾枠7を固定して上扉4の外観を成す上扉枠6と、上扉枠6の内側に設けられる基体9と、基体9の正面側に配置される上パネル8とを備えている。上扉枠6は、中央よりも下側が前後に貫通する開口部61となっている枠本体60からなる枠部材である。基体9は、略中央部に、前後に貫通する開口部9Aが形成された板部材である。開口部9Aの両側には発光体が内蔵された発光表示部9Bが設けてあり、開口部9Aの下方には、７セグメント表示器等から成る表示部9Cが設けられている。上パネル8は、透明なアクリル板に種々の絵柄を印刷して成り、中央部に透明な可視部を設けて、図柄表示窓8Aを形成してある。基体9の正面側に上パネル8を固定し、上扉枠6に収納固定することにより、上パネル8が上扉枠6の開口部61を裏面側から塞ぐ。そして、上扉4を閉めた状態で、筐体2の内部に収納されているリールユニット200の回転リール10が、図柄表示窓8Aから視認できるようになっている。
【００１８】
ここで、上扉枠6の枠本体60には、図４に示すように、開口部61の上側に、装飾枠7を固定するための装飾枠固定部62が設けられているとともに、開口部61の両側の脚部60Aには、サイドランプ固定部63が形成されている。そして、サイドランプ固定部63には、後述する拡散ランプユニット40が取り付けられている。なお、サイドランプ固定部63は、拡散ランプユニット40の一部を成すものとなっているが、これについては後述する。
（装飾枠7）
装飾枠7は、図３及び図４に示すように、上扉枠6の正面上部に着脱自在に固定される演出用ブロックであって、中空箱形の枠本体70に種々の演出用デバイスを取り付けた構造になっている。具体的には、図４に示すように、枠本体70の正面中央部には液晶ユニット80が、枠本体70の正面上側中央部及び正面下側の左右には拡散ランプユニット40が、正面上側角隅部にはコーナーランプユニット50が、正面中央の左右には上部スピーカ100が、それぞれ設けられている。拡散ランプユニット40及びコーナーランプユニット50は、遊技機1の発光表示部となる照明装置である。
【００１９】
さらに、枠本体70の背面側上部には、装飾枠7に搭載されている演出用デバイスの作動を制御するための表示制御基板を有する表示制御基板ユニット30が設けられている。表示制御基板ユニット30は、ＣＰＵ、ＲＯＭなど種々の電子部品を装着した表示制御基板を、基板ケースに収納したものである。
そして、装飾枠7は、上扉枠６に固定する際、枠本体70の背面上端部に後方に向かって突設された突部301（図４参照）を、上扉枠６の枠本体60の正面側上端部設けられた嵌合孔部300（図４参照）に差し込んで嵌合させることにより、容易に上扉枠６に取り付けることができるとともに、装飾枠7の上面と上扉枠６の上面とが略面一となるようにお互いを矯正できるようになっている。
【００２０】
（枠本体70）
前記枠本体70は、背面側が開放する枠部材であって、図５に示すように、コーナーランプユニット50を取り付けるためのコーナーランプ固定部71、拡散ランプユニット40を取り付けるための上部ランプ固定部72及び下部ランプ固定部73、上部スピーカ100を取り付けるためのスピーカ固定部74、液晶ユニット80を取り付けるための液晶ユニット固定部75が、それぞれ設けられている。コーナーランプ固定部71は、枠本体70の正面上側角隅部に設けられた切り欠き段部であり、奥側の壁には、コーナーランプユニット50の拡散レンズ54等を嵌入可能な開口部が形成されている。上部ランプ固定部72及び下部ランプ固定部73は、上扉枠６のサイドランプ固定部63と同様の構成を有しているものである。スピーカ固定部74は、枠本体70の正面に設けられた楕円形の開口部であり、背面側から上部スピーカ100を取り付けることにより、上部スピーカ100のグリル面によって塞がれるようになっている。液晶ユニット固定部75は、枠本体70の正面中央部に形成された方形の開口部であり、背面側から液晶ユニット80を取り付けることにより、液晶パネル81Aの前面に固定されている強化ガラス84によって塞がれるようになっている。
【００２１】
（拡散ランプユニット40）
拡散ランプユニット40は、図４乃至図６に示すように、ＬＥＤ基板41と、ＬＥＤ基板41の手前側に配置され複数の円柱形の拡散レンズ42Aが形成されたレンズ部材42と、拡散レンズ42Aにより拡散された光線を反射させるための複数の凹面反射鏡43と、凹面反射鏡43を正面側から覆い隠すレンズカバー45とを備えている。上扉枠６のサイドランプ固定部63及び装飾枠7の下部ランプ固定部73に配置される拡散ランプユニット40は、ＬＥＤ基板41が基板ケース（図５では省略している）に収納されて、それぞれ上扉枠６の枠本体60、装飾枠7の枠本体70に固定される。装飾枠7の上部ランプ固定部72に配置される拡散ランプユニット40のＬＥＤ基板41は、図５に示すように、表示制御基板ユニット30の前面に取り付いている。
【００２２】
凹面反射鏡43は、前述したように、サイドランプ固定部63に複数個、縦列して形成されているとともに、上部ランプ固定部72、下部ランプ固定部73に複数個、並列して形成されている。そして、各凹面反射鏡43の中央部に設けられた開口部から、拡散レンズ42Aが正面側に突出するようになっている（図６参照）。レンズカバー45は、サイドランプ固定部63、上部ランプ固定部72、下部ランプ固定部73をそれぞれ覆う透光性を有する着色カバーである。
本実施の形態における拡散ランプユニット40は、光源であるＬＥＤ素子41Aの点発光を拡散レンズ42Aにより拡散させ、凹面反射鏡43によって特定の方向（遊技者の方向）に反射させることにより、レンズカバー45が全体的に発光しているように見える構成となっている。
【００２３】
なお、凹面反射鏡43は、図７に示すように、その断面がなめらかな放物線を描くような曲面から形成されているが、図８に示すように、その表面に多数の凹部を設けて、光を多方向に拡散させるように形成してもよい。
（コーナーランプユニット50）
コーナーランプユニット50は、図９に示すように、ＬＥＤ基板51と、ベース板52と、固定ホルダー53と、拡散レンズ54と、反射部材55と、正面レンズ56と、外周部独立レンズ57と、レンズカバー58（図５参照）と、を備えている。なお、図９に示したのは、装飾枠7の正面左側に位置するコーナーランプユニット50である。正面右側に位置するコーナーランプユニット50の各構成部品は、図示したものと対称に形成されている。
【００２４】
前記ＬＥＤ基板51及びベース板52は、枠本体70の背面側に取り付けられるものであり、拡散レンズ54と反射部材55は、固定ホルダー53を介して枠本体70の正面側からベース板52に固定されるものである。正面レンズ56は、反射部材55の正面に固定されるものである。また、外周部独立レンズ57は、枠本体70のコーナーランプ固定部71の奥壁の隅角部に設けられた三角孔523（図２１）を通して、正面側からベース板52に固定されるものである。
本実施の形態におけるコーナーランプユニット50においては、ベース板52には、ＬＥＤ基板51に設けられたＬＥＤ素子41Aの照射光を通過させるための開口部が複数形成されており、複数の開口部は遊技者の位置から見たときに円形となるように楕円形に配置されているとともに、各開口部はＬＥＤ素子41Aの照射光を遊技者の方向にまっすぐ照射できるように遊技者側の内周面に関しては中心軸を斜めにして傾斜し、拡開するように穿設されている。また、拡散レンズ54及び反射部材55は、正面が遊技者の方向に向かうように取り付けられている。これらの構成によって、ＬＥＤ素子41Aの光が遊技者の方向に指向性を持って照射される。また、拡散レンズ54及び反射部材55の形状は、照射光が遊技者の方向に向けてだけでなく、他の方向、例えば隣の遊技機に座している遊技者や遊技者の後ろを通過する通行人などに向けても拡散されるような構造となっている。さらに、ＬＥＤ素子41Aは、通常、白色光だが異なる色の発光も可能であり、各色の照射光が、枠本体70のコーナーランプ固定部71の内面や、拡散レンズ54、反射部材55、外周部独立レンズ57に反射して種々の方向に屈折すると同時に、各部材によって反射領域が区切られて、光の色が混ざらないように形成されている。
【００２５】
（液晶ユニット80）
液晶ユニット80は、図１０及び図１１に示すように、液晶表示装置81を裏枠82及び前枠83の間に挟み、前枠83の正面側に配置した強化ガラス84を保持フック90で固定した構成となっている。液晶表示装置81は、液晶パネル81Aと駆動回路基板等を備えた市販の液晶モジュールである。裏枠82は、図１１に示すように、液晶表示装置81を収納可能な箱形の枠であり、その背面には、液晶表示装置81の作動を制御するための液晶制御基板86が固定され、裏ケース85が取り付けられる。前枠83は、裏枠82に収納された液晶表示装置81の正面側に配置される中央が開口する枠体であり、この中央開口83Dから液晶パネル81Aの画面を視認できるようになっている。強化ガラス84は、前枠83の中央開口83Dを正面側から覆う透明な板ガラスであり、液晶パネル81Aを保護するためのものである。保持フック90は、ポリアセタール樹脂などの弾力性の高い素材によって形成されており、強化ガラス84の左右の縁部を挟持して押さえるためのものである。そして、裏枠82、前枠83、保持フック90は、固定ネジ87によって一体的に固定されるとともに、強化ガラス84は、保持フック90によって液晶パネル81Aの前面に保持される。そして、裏枠82を装飾枠7の枠本体70の裏面に固定することにより、液晶ユニット固定部75から液晶パネル81Aが視認可能となる状態で、装飾枠7に装着されるようになっている。
【００２６】
（操作部730及びその周辺構造）
操作部730及びその周辺構造には、操作部730をスムーズに引き下げることができるような構成が形成されている。以下に詳細に説明する。
（開閉鍵710）
図２及び図１２に示すように、上扉4に設けてある開閉鍵710は、主として、筐体2の正面から向かって右側に位置して、筐体2の左方向に突出する板状の筐体係止片713と、この筐体係止片713に係合可能な係止溝715（図１２）を上面に有すると共に、上扉4の正面から向かって右側端部に上下に２個配置した扉フック711とにより、扉フック711が係止溝715内部に入り込むことで前扉3を筐体2にロックさせるロック状態を発生させることができるものである。なお、前記筐体係止片713は、上扉4用としての筐体係止片713としては上下に２個形成され、また、下扉5用の筐体係止片713として筐体2の下側に別に２個形成されている。
【００２７】
そして、この扉フック711は、常時、ばね712により回転軸714を中心として、遊技機1を正面から見たときの手前側が上方に向かって付勢されている。なお、この扉フック711は、常時、付勢されていることに限定されるものではなく、少なくとも、後述するスライド片720が引き下げられたときに、付勢力が発生するようなものでもよい。
そして、この扉フック711の上端面を下方に向かって押下可能なスライド突片721を有するスライド片720が、上扉4の正面から向かって右側端部に、配置されている。扉フック711及び筐体係止片713は、扉フック711とスライド片720とを組んだ状態において、上扉4を閉じたときに筐体係止片713の下側が、係止溝715に係合可能となるような位置に形成されているものである。このスライド片720を下方に移動させると、スライド片720のスライド突片721が扉フック711の前側の上端面に設けられた押し下げ溝716（図１２）を下方に押し下げて、前記係止溝715が筐体係止片713から外れてロック解除状態となるような構造となっている。そして、遊技者が操作してスライド片720を下方に押し下げるためにスライド片720の下部に操作部730が設けてある。
【００２８】
（操作部730）
前記操作部730は、スライド片720の下部に位置して、スライド片720を下方に引き下げるために遊技者が押し下げ可能なものである。前記操作部730は、スライド片720の下部にあって、スライド片720の下端部が上扉4のヒンジ側（遊技機1を正面から見たときの左側）に向かってＬ字状に折り曲げられた形状であり、金属からなるＬ字状操作部722と、このＬ字状操作部722のＬ字状に折り曲げた先端部に取り付けられた略四角箱状（直方体状）の樹脂からなる箱状操作部734とからなる。
箱状操作部734の、図１３の向かって右側の部分（側面部分）は、１つの面ではなく途中で折れ曲がった２つの面を有していることにより、正面視で正確には四角形ではない。そして、箱状操作部734の奥側の面は、図１３に示すように、正面視で上側が台形状（上底が下底よりも大きい台形）で下側が長方形からなるものを組み合わせた形状に形成されて、全体として遊技機1を正面から見たときの前面側及び右側が開口する略箱状に形成されているものである。そして、遊技機1を正面から見たときの箱状操作部734の下面は、後述する手前側上端部731を遊技機1を正面から見たときの左右方向の長さよりも短く形成されている。
【００２９】
そして、箱状操作部734の下部には、Ｌ字状操作部722の先端を挿入可能な挿入部が形成され、この挿入部にＬ字状操作部722の先端部が挿入されることによって操作部730を形成しているものである。そして、箱状操作部734の正面側に向かって開口し、遊技者が操作をするために指を挿入可能な直方体状の空間である指挿入部732が、箱状操作部734の前面が開口していることによって形成されている。遊技者は、この指挿入部732に指を挿入して、指挿入部732の下面に位置して、箱状操作部734の下側の板部材735の上面を下方に押し下げることにより、スライド片720を下方に押し下げることができるものである。なお、箱状操作部734のＬ字状操作部722の部分を指やドライバー等により押し下げることも可能である。箱状操作部734の指挿入部732の上部には、板状の手前側上端部731が形成されている。箱状操作部734を遊技機1の正面に平行な面に縦方向に切断すると、断面コ字状の切断面が現れることになる。
【００３０】
前記操作部730は、上部の方がやや幅広に形成されてある。これは、Ｌ字状操作部722と箱状操作部734との間にスペースを設けて、ボールペンや、ドライバー等をその隙間に差し込んで金属からなるＬ字状操作部722を下方に押し下げることができるように形成されているものである。
なお、操作部730は、Ｌ字状操作部722だけで、箱状操作部734を形成しなくてもよく、また、箱状操作部734だけをスライド片720の下部に取り付けることができれば、Ｌ字状操作部722を形成しなくてもよい。また、Ｌ字状操作部722の先端に取り付けるものは、上記した形状に限られず、適宜の形状としてもよい。例えば、箱状の箱状操作部734に限定されるものではなく、球状の球状操作部でもよく、また、板状や、円盤状等の他の形状のものでもよい。
【００３１】
（引下用開口孔740）
前記引下用開口孔740は、上扉4の下面にあって、正面側から操作部730を下方に向かって引き下げるために下方に向かって開口する四角孔である。この引下用開口孔740の手前側の上扉4には、水平に置かれた板状の板状部材748が形成されてある。そして、この板状部材748の奥側の端面部分は、引下用開口孔740の手前側の開口縁747を構成している。
開閉鍵710がロック状態であるときには、箱状操作部734の手前側上端部731が、引下用開口孔740の開口縁747より上方に位置するように形成されている。そして、開閉鍵710がロック解除状態であるときには、下方に引き下げられた箱状操作部734の手前側上端部731が引下用開口孔740の開口縁747より下方に移動するように形成されている。
【００３２】
（案内面741及び手前側案内面743）
引下用開口孔740の開口縁747（上扉4の、引下用開口孔740を形成する開口縁）の下方には、前方を除いた３方向（右方向、左方向、奥方向）に、操作部730が下方に最大限移動したときにも操作部730の奥及び左右方向の面が操作部730の奥及び左右の外側面と接することができる高さまで引下用開口孔740の開口縁747から下方に向かって案内面741を設けている。具体的には、これらの案内面741として、遊技機1の正面から向かって、右方向に右側案内面744、左方向に左側案内面745、奥側に背面側案内面746を設けている。
なお、前記案内面741は、操作部730を最大限引き下げたときに、操作部730の奥及び左右の外側面の上端から下端までが接することができる長さに形成してもよいし、操作部730の奥及び左右の外側面の少なくとも一部が接するようになっていれば、必ずしも操作部730に対応した長さの形状でなくてもよい。スライド片720自体が別の作用によって、奥方向、左方向或いは右方向へ移動しないようになっている場合、例えば、スライド片720を上扉4に取り付けた際に、或いはその上扉4を筐体2に閉じた際、上扉4の構成部材や、筐体2の構成部材と、スライド片720との間隙がほとんどないことによってこれらの方向への移動が規制される場合や、また、別部材によってこれらの方向への移動が規制される等の場合には、前記案内面741のうち一部（例えば、左側や右側の案内面741）を設けなくてもよい。
【００３３】
そして、引下用開口孔740の手前側の開口縁747から下方に向かって、操作部730が下方に最大限移用動したときにも操作部730の手前側の面（或いは辺）の少なくとも一部が接することができる高さまで手前側案内面743を有する当接部材750を設けてある。この当接部材750は、引下用開口孔740の手前側の開口縁747から下方に向け、また、左側案内面745の手前側の縁から右側に向けて突出しているものであり、この当接部材750の裏面側に手前側案内面743が形成されているものである。この手前側案内面743は、前面の左右方向の一部のみに設けてある。具体的には、手前側案内面743は、前面の左右方向のうち、左側の上部のみに設けてある。もちろん、左側に限定されるものではなく、右側に設けてもよく、また、左右両方に設けてもよい。また、手前側案内面743は、必ずしも開口縁747に設けなくても、左側の案内面741の前端部分から設けられていてもよく、単に後述する滑り面742が設けられた当接部材750の裏面側を手前側案内面743としてもよい。
【００３４】
そして、手前側案内面743は、左方向の上部に形成されてあるが、その位置は、図１３（ｂ）や、図１５（ｂ）に示すように、操作部730を最大限引き下げた位置で箱状操作部734の前面側の左角部の一部の手前側に手前側案内面743が位置するような状態が発生するように形成されている。
これにより、操作部730を手前側に移動させようとしても、操作部730が手前側案内面743に当接してその移動が規制されるように形成されている。なお、右側の案内面741としての右側案内面744があることにより、操作部730の右側への移動が規制されるが、操作部730が最大限右側に移動した状態で、操作部730を手前側に移動させようとしても、箱状操作部734の前面側の左角部の一部が手前側案内面743に必ず当選するような寸法形状に形成されている。
【００３５】
また、右側案内面744を設けない場合には、別の作用、上述したような他の構成部材の存在によってスライド片720の移動が規制されるようなことにより、操作部730の右方向への移動が規制されており、操作部730が右方向に移動することがあっても、操作部730が最大限、右側に移動した状態で、操作部730を手前側に移動させようとしても、箱状操作部734の前面側の左角部の一部が手前側案内面743に必ず当接するような寸法形状に形成されている。
なお、上述した手前側案内面743及び他の面の案内面は、必ずしも引下用開口孔740の開口縁747から連続して下方に向かって形成される必要はなく、操作部730が開口縁747に引っかからなければ、開口縁747との間に隙間があって途中から例えば、側方から突出して形成するようなものでもよい。
【００３６】
なお、手前側案内面743の右端が、箱状操作部734の左側部材の前面の右端736（図１３、図１５）と略一致する位置に設けられていると好適である（ここで、左側に手前側案内面743を設け、箱状操作部734の左側部材を設けた例で説明したが、右側に右側から延びる手前側案内面を設けて、箱状操作部734の右側部材を設けた場合も、同様であって、そのときには、右側に設けた手前側案内面の左端が、箱状操作部734の右側部材の前面の左端（図示せず）と略一致する位置に設けられていると好適である。）。ここで、手前側案内面743の前面側に滑り面742を形成している場合には、滑り面742の右端が、箱状操作部734の左側部材の前面の右端736（図１３、図１５）と略一致する位置に設けられていると好適である。最も好適なのは、滑り面742の右端が箱状操作部734の左側部材の右端736と略一致する位置に設けられているものである（右側に手前側案内面743を設ける場合（図示せず）も上記と同様）。かかる場合には、滑り面742に沿って案内された遊技者の指がそのまま引っかかることなく、箱状操作部734の指挿入部732内部に滑らかに挿入することが可能となる。なお、本実施の形態では、手前側案内面743の右端と、滑り面742の右端とは、略同一となるように形成されている。
【００３７】
また、手前側案内面743の右端や、滑り面742の右端が、箱状操作部734の左側部材の前面の右端736（図１３、図１５）よりも右側方向に超えた位置となるように形成してもよいが、少なくとも、遊技者が指を挿入して挿入可能であるように手前側案内面743等の右端と、指挿入部732の右側との間のスペースが設けられていることが好ましい。かかる場合、指が挿入できないようなスペースであっても、最低限ドライバー程度の棒状部材が挿入できて操作できるようなスペースがあればよいものである。
そして、引下用開口孔740の手前側の開口縁747の左側から下方に向け、また、左側案内面745の手前側の上側の縁から右側に向けて当接部材750が突出しており、この当接部材750の裏面側に、操作部730の前面側を案内する手前側案内面743が形成されている。当接部材750の前面側であって、この手前側案内面743の手前側には、操作部730の左右方向のうち手前側案内面743を設けた方向から操作部730方向に向かって奥方向に傾斜した滑り面742を形成している。この滑り面742の左側には、滑り面742と同じ傾斜角度で、滑り面742に連続する滑り案内面749（図１３、図１５）が、形成されている。そして、図１５に示すように、滑り面742及び滑り案内面749は、左側から奥方向への厚みが減少する方向に傾斜面が形成されている。
【００３８】
なお、ここで、上述したように、滑り面742及び滑り案内面749を設けているが、必須の構成要件ではなく、必ずしも設けなくてもよいものである。
（操作部730及びその周辺構造の効果）
開閉鍵710をロック解除状態にするために、操作部730を下方に引き下げても、引下用開口孔740の前方を除いた３方向の開口縁747の下端から、操作部730が下方に最大限移動しても操作部730の奥及び左右方向の面がそれぞれ接することができる高さまで下方に向かって案内面741としての背面側案内面746、左側案内面745、右側案内面744が形成されている。このため、操作部730の上端等が、引下用開口孔740の手前側以外の開口縁747に引っかかることを防止することができる。
【００３９】
そして、開閉鍵710をロック解除状態にするために、操作部730を下方に引き下げても、引下用開口孔740の手前側の開口縁747の下端から、操作部730が下方に最大限移動しても操作部730の手前側の面が接することができる高さまで下方に向かって手前側案内面743が形成されている。このため、操作部730の上端等が、引下用開口孔740の手前側の開口縁747に引っかかることを防止することができる。更に、手前側案内面743の手前側には、操作部730方向に向かって奥方向に傾斜した滑り面742が形成されていることにより、遊技者が、操作部730を操作しようとして、指を差し込んで、差し込んだ位置が指挿入部732の位置と少しずれているような場合であっても、滑り面742の傾斜面に案内されて、スムーズに操作部730へ指を案内することができる。
【００４０】
これにより、性格な位置に指を差し込まなくても、また、室内が暗くて見えないような場合や、前扉3を大きく開けずに、操作部830が見えないような場合であっても、差し込んだ指を操作部830へ移動させることができ、ロック解除の作業性を向上させることができる。
【符号の説明】
【００４１】
1  遊技機                              2  筐体
3  前扉                                4  上扉
5  下扉                                6  上扉枠
710  開閉鍵                            711  扉フック
712  ばね                              720  スライド片
721  スライド突片                      730  操作部
731  手前側上端部                      732  指挿入部
734  箱状操作部                        740  引下用開口孔
741  案内面                            742  滑り面
743  手前側案内面                      750  当接部材
810  開閉鍵                            820  スライド片
821  Ｌ字状操作部                      830  操作部
831  手前側上端部                      832  指挿入部
833  箱状操作部                        840  引下用開口孔
841  手前側開口縁
【図１】
0005540196.tif 000002
【図２】
0005540196.tif 000003
【図３】
0005540196.tif 000004
【図４】
0005540196.tif 000005
【図５】
0005540196.tif 000006
【図６】
0005540196.tif 000007
【図７】
0005540196.tif 000008
【図８】
0005540196.tif 000009
【図９】
0005540196.tif 000010
【図１０】
0005540196.tif 000011
【図１１】
0005540196.tif 000012
【図１２】
0005540196.tif 000013
【図１３】
0005540196.tif 000014
【図１４】
0005540196.tif 000015
【図１５】
0005540196.tif 000016
【図１６】
0005540196.tif 000017
【図１７】
0005540196.tif 000018
【図１８】
0005540196.tif 000019